(57)【特許請求の範囲】
【請求項１】
座と、
前記座と一体に回転中心が支持されて傾倒可能な背もたれと、
前記座の第１箇所の移動経路を規制する第１ガイド部と、
前記座の前記第１箇所より後端側の第２箇所の移動経路を規制する第２ガイド部と、
前記背もたれの下端部の移動経路を規制する第３ガイド部と、
を有し、
前記第１、第２ガイド部は、前記座が、第１姿勢から後方に移動しながら後端側が前端側より大きく下降して傾斜した第２姿勢に変位するように前記第１箇所および前記第２箇所を案内し、
前記第３ガイド部は、前記座の各位置における前記背もたれの傾斜角度を規制する
ことを特徴とする椅子。
【請求項２】
前記座の後端側を押し上げる押し上げ機構を備え、
前記押し上げ機構は、前記座の後端側の所定箇所に一端部が回動可能に軸支された第１リンクと、前記第１リンクの他端部に一端部が回動可能に連結され他端部が前記所定箇所の下方であって椅子のベース部に回動可能に軸支された前記第２リンクと、前記第１リンクと前記第２リンクとの連結箇所を、前記第１リンクと前記第２リンクとの角度が１８０度に近づく方向に付勢する付勢部とを有する
ことを特徴とする請求項１に記載の椅子。
【請求項３】
前記第１リンクと前記第２リンクは、後方へ凸となるように設けてあり、
前記付勢部は、シリンダと、前記シリンダ内で移動するピストンと、前記ピストンから延設され、前記シリンダに入る方向へ付勢されたピストンロッドとを有するダンパーであり、その一端は前記連結箇所に接続され、他端は前記座の前端側の下方で前記ベース部に支持されている
ことを特徴とする請求項２に記載の椅子。
【請求項４】
前記第１、第２ガイド部はそれぞれ、前記移動経路に対応したガイド溝と、前記ガイド溝に沿って細長くかつ前記ガイド溝に嵌合して前記ガイド溝の中を移動するスライド片を備え、前記座と前記ベース部のいずれか一方に前記ガイド溝が、他方に前記スライド片が設けられる
ことを特徴とする請求項１乃至３のいずれか１つに記載の椅子。
【請求項５】
前記第１ガイド部のガイド溝と前記第２ガイド部のガイド溝はそれぞれ、前記座の前方かつ下方の所定位置を中心とする同心の円弧をなしている
ことを特徴とする請求項４に記載の椅子。
【請求項６】
前記座と一体に設けられた肘掛を有する
ことを特徴とする請求項１乃至５のいずれか１つに記載の椅子。
【発明の詳細な説明】
【技術分野】
【０００１】
本発明は、背もたれの傾倒と座の変位が連動する椅子に関する。
【背景技術】
【０００２】
従来のリクライニング機構付き椅子には、背もたれのみが傾倒するもの、背もたれの動きに連動して座が傾斜したりするものがあった（たとえば、特許文献１参照）。
【先行技術文献】
【特許文献】
【０００３】
特許第４７９６０８７号
【発明の概要】
【発明が解決しようとする課題】
【０００４】
従来のリクライニング機構付き椅子は、背もたれのリクライニングに対して座の傾斜角度が不十分なため、リクライニングされた場合に、着座者が無理のない自然体の姿勢を維持することは難しかった。
【０００５】
また、特許文献１に開示の椅子では、背もたれの傾斜に伴って座を後方に移動させる等の機構を設けて座り心地を改善しているが、椅子の構造が複雑になってしまう。
【０００６】
本発明は、上記の問題を解決しようとするものであり、簡単な構造でありながら着座者が自然体を維持したままの状態でリクライニングすることのできる椅子を提供することを目的としている。
【課題を解決するための手段】
【０００７】
かかる目的を達成するための本発明の要旨とするところは、次の各項の発明に存する。
【０００８】
［１］座と、
前記座と一体に回転中心が支持されて傾倒可能な背もたれと、
前記座の第１箇所の移動経路を規制する第１ガイド部と、
前記座の前記第１箇所より後端側の第２箇所の移動経路を規制する第２ガイド部と、
前記背もたれの下端部の移動経路を規制する第３ガイド部と、
を有し、
前記第１、第２ガイド部は、前記座が、第１姿勢から後方に移動しながら後端側が前端側より大きく下降して傾斜した第２姿勢に変位するように前記第１箇所および前記第２箇所を案内し、
前記第３ガイド部は、前記座の各位置における前記背もたれの傾斜角度を規制する
ことを特徴とする椅子。
【０００９】
上記発明では、第１、第２ガイド部によって案内することにより、座を所望の移動経路で変位させることができると共に、座の各位置における背もたれの傾斜角度は第３ガイド部によって規制される。これにより、どのポジションにおいても良好な座り心地を提供することができる。
【００１０】
［２］前記座の後端側を押し上げる押し上げ機構を備え、
前記押し上げ機構は、前記座の後端側の所定箇所に一端部が回動可能に軸支された第１リンクと、前記第１リンクの他端部に一端部が回動可能に連結され他端部が前記所定箇所の下方であって椅子のベース部に回動可能に軸支された前記第２リンクと、前記第１リンクと前記第２リンクとの連結箇所を、前記第１リンクと前記第２リンクとの角度が１８０度に近づく方向に付勢する付勢部とを有する
ことを特徴とする［１］に記載の椅子。
【００１１】
上記発明では、付勢部が第１リンクと第２リンクの連結箇所に与えた水平方向の動きは、第１、第２リンクによって上下方向の動きに変換されて座部の後端側を上方に付勢する。
【００１２】
［３］前記第１リンクと前記第２リンクは、後方へ凸となるように設けてあり、
前記付勢部は、シリンダと、前記シリンダ内で移動するピストンと、前記ピストンから延設され、前記シリンダに入る方向へ付勢されたピストンロッドとを有するダンパーであり、その一端は前記連結箇所に接続され、他端は前記座の前端側の下方で前記ベース部に支持されている
ことを特徴とする［２］に記載の椅子。
【００１３】
上記発明では、ダンパーは座の前後方向に伸縮するように設けられ、シリンダからピストンロッドが進出したとき第１リンクと第２リンクが後方へ凸になる。その結果、ダンパーに許される最小長をより長くできる。
【００１４】
［４］前記第１、第２ガイド部はそれぞれ、前記移動経路に対応したガイド溝と、前記ガイド溝に沿って細長くかつ前記ガイド溝に嵌合して前記ガイド溝の中を移動するスライド片を備え、前記座と前記ベース部のいずれか一方に前記ガイド溝が、他方に前記スライド片が設けられる
ことを特徴とする［１］乃至［３］のいずれか１つに記載の椅子。
【００１５】
上記発明では、任意の移動経路を容易に形成することができる。また、ガイド溝の中を、ガイド溝に沿って細長いスライド片が移動するので、スライドの中間位置においてもガタつきを抑えてスライド移動することができる。
【００１６】
［５］前記第１ガイド部のガイド溝と前記第２ガイド部のガイド溝はそれぞれ、前記座の前方かつ下方の所定位置を中心とする同心の円弧をなしている
ことを特徴とする［４］に記載の椅子。
【００１７】
上記発明では、座の前方下方の所定位置を仮想の回転中心として座が変位する。
【００１８】
［６］前記座と一体に設けられた肘掛を有する
ことを特徴とする［１］乃至［５］のいずれか１つに記載の椅子。
【００１９】
上記発明では、座と肘掛が一体になって変位するので、どのポジションでも肘掛が着座者にとって使い勝手のよい位置になる。
【発明の効果】
【００２０】
本発明に係る椅子によれば、簡単な構造でありながら、着座者が自然体を維持したままの状態でリクライニングすることができて、良好な座り心地を得ることができる。
【図面の簡単な説明】
【００２１】
【図１】本発明の実施の形態に係る椅子の概略の構造を示す正面図である。
【図２】本発明の実施の形態に係る椅子の概略の構造であってアップライト姿勢（ポジション１）の状態を示す側面図である。
【図３】本発明の実施の形態に係る椅子の概略の構造であって中間姿勢（ポジション３）の状態を示す側面図である。
【図４】本発明の実施の形態に係る椅子の概略の構造であってリクライニング姿勢（ポジション５）の状態を示す側面図である。
【図５】ガイド部の構造を示す図（ポジション１）である。
【図６】ガイド部の構造を示す図（ポジション３）である。
【図７】押し上げ機構の概略構成を示す図である。
【発明を実施するための形態】
【００２２】
以下、図面に基づき本発明の実施の形態を説明する。
【００２３】
図１は、本発明の実施の形態に係る椅子５の概略構造を示す正面図であり、図２は椅子５の概略構造を示す側面図である。
【００２４】
椅子５は、背もたれ２０を起立させたアップライト姿勢から背もたれ２０を傾倒させたリクライニング姿勢へ変位する際に、座１０が後方へ下がりながら前端側よりも後端側が大きく下降するように変位し、座１０の変位に連動して背もたれ２０の傾斜角度が変化するように構成されている。椅子５では、座１０の各位置における背もたれ２０の傾斜角度は着座者が自由に変更することはできず、座１０の各位置における背もたれ２０の傾斜角度は一義的に規定される。
【００２５】
ここでは、座１０の各位置において、座り心地が良いとされる理想的な傾斜角度に背もたれ２０が連動するように設定してある。すなわち、椅子のプロトタイプの各型を基準として、各型をつなげてスムースにリクライニング動作するようになっている。したがって、どのポジションにおいても、最適な姿勢となって良好な座り心地が提供される。
【００２６】
具体的には、図２に示すポジション１（アップライト姿勢）では、水平に対して座１０は０度となり、背もたれ２０は水平に対して９３度になってほぼ直立する。図３に示すポジション３（中間姿勢）では座１０は６度の後傾となり、背もたれ２０は水平に対して１０５度になる。図４に示すポジション５（リクライニング姿勢）では座１０は１２度の後傾となり、背もたれ２０は水平に対して１１５度になる。図示省略するが、ポジション１とポジション３の間のポジション２では座１０は３度の後傾となり、背もたれ２０は水平に対して１００度になる。また、ポジション３とポジション５の間のポジション４（図示省略）では座１０は９度の後傾となり、背もたれ２０は水平に対して１１０度になる。
【００２７】
椅子５は、着座者の尻が乗せられる座１０と、座１０と一体に回転中心が支持されて傾倒可能な背もたれ２０と、座１０と一体に設けられた左右一対の肘掛１５と、床面に設置されるベース部６０を有する。
【００２８】
また、椅子５は、座１０をベース部６０に変位可能に取り付けるための第１ガイド部３０および第２ガイド部４０を有する。第１ガイド部３０は、座１０の第１箇所（前端寄りの部分）の移動経路を規制する。第２ガイド部４０は、座１０の第１箇所より後端側の第２箇所（中央よりやや後端側の部分）の移動経路を規制する。さらに椅子５は、座１０と一体に回転中心が支持された背もたれ２０の下端部の移動経路を規制する第３ガイド部５０を有する。
【００２９】
第１ガイド部３０および第２ガイド部４０は、アップライト姿勢からリクライニング姿勢に変位する際に座１０が後退しつつ前端よりも後端が大きく下降するように座１０の第１箇所および第２箇所の移動経路を規制する。第３ガイド部５０は、座１０の各位置における背もたれ２０の傾斜角度を規制する機能を果たす。
【００３０】
椅子５の構成をより詳しく説明する。
【００３１】
座１０は、座フレーム１１をクッション材、被覆材等で覆って構成される。座フレーム１１は、椅子５の前後方向に沿うようにして立てられた略矩形の支持板１１ａを座１０の幅に相当する間隔をあけて左右に配置し、これらの支持板１１ａの下部の前端と後端をそれぞれ連結棒１１ｂで連結して構成される。座フレーム１１の支持板１１ａの上部は外側に折り曲げてあり、その部分にクッション材を被覆材で覆って形成した肘掛１５が取り付けられている。
【００３２】
背もたれ２０は、長方形の枠とその間を繋ぐ横桟等からなる背フレーム２１をクッション材、被覆材等で覆って構成される。
【００３３】
ベース部６０は、床面に立てた状態でそれぞれ椅子５の前後方向に沿う向きに配置された左右一対の側板６１を備えている。左右の側板６１は、椅子５の前端下部、中央下部、後端下部のそれぞれにおいて円柱状の連結棒６２（前端下部の連結棒６２ａ、中央下部の連結棒６２ｂ、後端下部の連結棒６２ｃ）で連結されている。
【００３４】
図５、図６は、第１ガイド部３０、第２ガイド部４０、第３ガイド部５０の構造を説明する図であり、後述する押し上げ機構７０等は図示省略されている。
【００３５】
図５、図６に示すように、第１ガイド部３０は、座１０の第１箇所の移動経路に対応したガイド溝３１と、ガイド溝３１に沿って細長くかつガイド溝３１に嵌合して該ガイド溝３１の中を移動するスライド片３２とで構成される。ガイド溝３１は、ベース部６０の側板６１の上部前端寄りの位置に穿孔して設けられている。スライド片３２は、座フレーム１１の支持板１１ａの下部前端寄りの箇所（第１箇所）に外側へ突起するように設けられている。
【００３６】
同様に、第２ガイド部４０は、座１０の第２箇所の移動経路に対応したガイド溝４１と、ガイド溝４１に沿って細長くかつガイド溝４１に嵌合して該ガイド溝４１の中を移動するスライド片４２とで構成される。ガイド溝４１は、ベース部６０の側板６１の上部中央寄りの位置に穿孔して設けられている。スライド片４２は、座フレーム１１の支持板１１ａの下部の中央よりやや後端寄りの箇所（第２箇所）に外側へ突起するように設けられている。
【００３７】
座１０は、座フレーム１１の下部の左右に外側へ突起して設けられたスライド片３２、４２を、ベース部６０の側板６１に設けられたガイド溝３１、４１に嵌合させることで、ベース部６０に変位可能に支持される。
【００３８】
第１ガイド部３０のガイド溝３１は、座１０の前方かつ下方の所定の位置（椅子５に着座した着座者のくるぶしの位置に対応する仮想回転中心Ａ）を中心とする円の一部の円弧状を成している。同様に、第２ガイド部４０のガイド溝４１も仮想回転中心Ａを中心とする円の一部の円弧状を成している。すなわち、第１ガイド部３０のガイド溝３１と第２ガイド部４０のガイド溝４１はそれぞれ、仮想回転中心Ａを中心とする同心の円弧を成している。ガイド溝３１の円弧の中心角の大きさとガイド溝４１の円弧の中心角の大きさは等しい。
【００３９】
スライド片３２、スライド片４２は、嵌合相手のガイド溝３１、４１に対応した円弧状を成している。
【００４０】
このようなガイド溝３１、４１の中をスライド片３２、４２がガイド溝３１、４１に沿って移動することで、座１０が前述したように変位する。すなわち、アップライト姿勢からリクライニング姿勢になるときに、座１０が後方へ下がりながら前端側よりも後端側が大きく下降するように変位する。
【００４１】
背もたれ２０は、背フレーム２１の左右両側から前方に突き出るように先端を前方に向けた略三角形の平板状の支持腕２２を備えており、該支持腕２２の先端が回転中心Ｂとなって座フレーム１１の支持板１１ａに回動自在に支持されている。
【００４２】
背もたれ２０の背フレーム２１は支持腕２２よりさらに下方にさらに延出している。リクライニングさせる際の背もたれ２０の下端部の移動経路を規制する第３ガイド部５０は、ベース部６０の側板６１の後端部に穿孔されたガイド溝５１と、背フレーム２１の下端部に設けられて、ガイド溝５１に嵌合するガイドピン５２とから構成される。
【００４３】
ガイド溝５１は、図２〜図４に示すポジション１からポジション５の間の座１０の各位置において、背もたれ２０が所望の傾斜角度となるように湾曲具合が設定される。
【００４４】
図２〜図４のポジション１からポジション５の間で座１０が変位するとき、背もたれ２０の回転中心Ｂは座１０と共に変位し、背もたれ２０の下端部のガイドピン５２はガイド溝５１に案内されて移動する。すなわち、第３ガイド部５０は、座１０の各位置において、背もたれ２０の回転中心Ｂに対する背もたれ２０の下端部（ガイドピン５２）の相対位置を規制することで、座１０の各位置における背もたれ２０の傾斜角度を規制する。
【００４５】
椅子５は、リクライニング姿勢からアップライト姿勢に戻る際に座１０の後端側を押し上げて着座者を補助する押し上げ機構７０を備えている。図７は、押し上げ機構７０を実線で、他の部分を破線で示した図である。
【００４６】
押し上げ機構７０は、座１０の座フレーム１１の後端側の所定箇所Ｃに一端が回動可能に軸支された第１リンク７１と、第１リンク７１の他端に一端が回動可能に連結され、他端が所定箇所Ｃの下方であって椅子５のベース部６０に回動可能に軸支された第２リンク７２と、第１リンク７１と第２リンク７２の連結箇所Ｊを、第１リンク７１と第２リンク７２との角度（連結箇所Ｊにおける角度）が１８０度に近づく方向に付勢する付勢部としてのダンパー７４を備えている。
【００４７】
第１リンク７１と第２リンク７２は、座１０の後端側か下降したポジション５（図４参照）において、連結箇所Ｊの角度が０度に近づいて後方へ凸の「く」の字状に折れた姿勢になり、座１０が略水平となるポジション１（図２参照）に近づくに連れて、連結箇所Ｊの角度が１８０度に近づく。この例では、連結箇所Ｊにおける第１リンク７１と第２リンク７２の角度は、ポジション１において約１５２度に、ポジション５において約６５度になる。
【００４８】
ダンパー７４は、シリンダ７４ａと、シリンダ７４ａ内でスライド移動するピストンと、このピストンから延設されてシリンダ７４ａに出入りするピストンロッド７４ｂを備えており、図示省略のコンプレッサから供給されるエアにより、ピストンロッド７４ｂがシリンダ７４ａに入る方向へ付勢される。なお、ダンパー７４はガススプリングなどでもかまわない。
【００４９】
図７に示すように、ダンパー７４のピストンロッド７４ｂの先端は第１リンク７１と第２リンク７２の連結箇所Ｊに軸支され、シリンダ７４ａの後端（ピストンロッド７４ｂの出入口と反対側の端部）は、ベース部６０の前端下部の連結棒６２ａから上方に延設された保持板６６の上部に回動可能に支持されている。この状態で、シリンダ７４ａの後端は、座１０の前端下方であってベース部６０の下端から座１０までの約半分の高さになっている。
【００５０】
ダンパー７４は、長手方向が座１０の前後方向となるように配置されており、座１０がポジション１のときに連結箇所Ｊ側が水平よりやや上に向き、座１０がポジション５のときに連結箇所Ｊ側が水平よりやや下に向くように設けられている。
【００５１】
ダンパー７４は、連結箇所Ｊに水平方向の動き（前後方向の動き）を与え、第１リンク７１と第２リンク７２は、連結箇所Ｊにおける水平方向の動きを座フレーム１１の後端の所定箇所Ｃを押し上げるための上下方向の動きに変換する。
【００５２】
さらに、椅子５は、座１０が変位しないように座１０をロックするロック機構８０を備えている。ロック機構８０は、シリンダ８０ａと、該シリンダ８０ａ内で移動するピストンと、このピストンから延設され、シリンダ８０ａから進出した状態とシリンダに収納された状態とに進退するピストンロッド８０ｂを備えて構成され、任意の進出位置でピストンロッド８０ｂをロックすることができる。シリンダ８０ａの後端はベース部６０の前端下部の連結棒６２ａに軸支され、ピストンロッド８０ｂの先端は第１リンク７１の上端と共に座フレーム１１の後端側の所定箇所Ｃに軸支されている。
【００５３】
なお、肘掛１５にはロック機構８０をロック状態にするかロックを解除するかを操作するための図示省略の操作ボタンが設けてある。
【００５４】
次に、上記構成の椅子５の動きを説明する。
【００５５】
着座者は、ロック機構８０をロック状態にすることで、座１０および背もたれ２０を任意の位置で固定することができる。
【００５６】
ロック機構８０のロックを解除すると、座１０や背もたれ２０はアップライト姿勢（ポジション１）とリクライニング姿勢（ポジション５）の間で変位可能となる。このとき、座フレーム１１に設けたスライド片３２、４２はベース部６０の側板６１に穿孔されたガイド溝３１、４１の中をスライド移動する。
【００５７】
座１０は、第１ガイド部３０、第２ガイド部４０にガイドされて移動することで仮想回転中心Ａを中心に回動するように変位する。その結果、リクライニングする際に座１０が後方に下がりながら後端側が前端より大きく下降するような動きで変位する。また、背もたれ２０は、その下端が第３ガイド部５０にガイドされることにより、座１０の各位置において理想の角度に傾倒する。これにより、どのポジションにおいても良好な座り心地が着座者に提供される。
【００５８】
なお、座１０の所定箇所をベース部６０に軸支し、この軸支した箇所を回転中心に座１０を変位させるといった従来の構造ではなく、第１ガイド部３０、第２ガイド部４０によって座１０を変位可能に支持するので、座１０の回転中心を椅子５から離れた任意の場所（実施の形態では仮想回転中心Ａ）に設定することができ、尻ずれの少ない良好な座り心地を提供することができる。
【００５９】
また、リクライニング姿勢からアップライト姿勢に戻るときは、押し上げ機構７０が座１０の後端を上方へ押し上げるので、着座者は、後傾した座１０を水平な姿勢に容易に戻すことができる。また、着座者は、ロックを解除した状態で体重を背もたれ２０にかけることでダンパー７４の作用に抗して容易に背もたれ２０を傾倒させることができる。
【００６０】
また、座１０と一体になって肘掛１５が変位するので、どのポジションにおいても、肘掛１５が使い易い。
【００６１】
押し上げ機構７０は、ダンパー７４が座１０の前後方向に伸縮する動きを、第１リンク７１および第２リンク７２によって、座１０の所定箇所Ｃを押し上げるための上下方向の動きに変換する。すなわち、座１０を後傾したリクライニング姿勢から水平なアップライト姿勢に復帰させるときにダンパー７４は、第１リンク７１と第２リンク７２の連結箇所Ｊを略水平に前方へ引くように力を与える。この力を受けると、第１リンク７１と第２リンク７２は「く」の字に折れた姿勢から、まっすぐに伸びた姿勢に向けて変化し、第２リンク７２の下端がベース部６０に軸支されているので、相対的に第１リンク７１の上端が上方へ移動し、座フレーム１１の後端の所定箇所Ｃが上方へ押し上げられる。
【００６２】
このような構成の押し上げ機構７０を採用することで、座１０の下方の狭い空間に押し上げ機構７０を収めることができる。
【００６３】
すなわち、座１０の後端側をガススプリングなどで直接に押し上げる構造では、座１０の後端側を最も下げた位置（たとえばポジション５）において、座１０の後端の下方に、ガススプリングが最も縮んだときの長さ以上の高さを確保する必要がある。そのため、座１０の後端を大きく下降させることができず、座１０を理想の傾斜角度にすることが難しくなる。
【００６４】
本実施の形態の押し上げ機構７０は、伸縮方向が座１０の前後方向になるようにダンパー７４を配置して座１０の後端側を押し上げることができるので、座１０の後端を大きく下降させることができ、大きく後傾した理想的な傾斜角度を得ることができる。
【００６５】
また、第１ガイド部３０および第２ガイド部４０を、ガイド溝３１、４１の中を、このガイド溝３１、４１に嵌合されたスライド片３２、４２が移動する構造としたので、スライド片３２、４２に代えて１本のガイドピンを用いる場合に比べてガイド溝３１、４１との接触面積が大きくなり、どの位置においても座１０を安定に支持することができる。特にポジション３のように、ガイド溝３１、４１の中間の位置（両端以外の位置）にスライド片３２、４２がある場合でも、ガタつきなく、座１０を支持することができる。
【００６６】
以上、本発明の実施の形態を図面によって説明してきたが、具体的な構成は実施の形態に示したものに限られるものではなく、本発明の要旨を逸脱しない範囲における変更や追加があっても本発明に含まれる。
【００６７】
実施の形態で示したベース部６０等の構造は一例であり、これに限定されるものではない。また、ベース部６０の下方にキャスタや回転台などをさらに設けてもよい。
【００６８】
実施の形態ではベース部６０の側板６１にガイド溝３１、４１を設け、座フレーム１１にスライド片３２、４２を設けるようにしたが、座フレーム１１側にガイド溝を、ベース部６０側にスライド片を設けるように構成されてもよい。
【００６９】
実施の形態では、ダンパー７４とロック機構８０を個別に設けたが、これらを１つに纏めて構成してもよい。たとえば、ロック機構付きのガススプリングなどを採用してもよい。
【００７０】
図２〜図４に示した座１０の変位と背もたれ２０の傾斜角度との関係は一例であり、これに限定されるものではない。
【００７１】
なお、スライド片３２、４２は、必要な可動域を確保した上で、可能な限りガイド溝３１、４１に沿って長くすることが望ましい。長いほどガイド溝３１、４１との接触面積が増えて安定する。
【符号の説明】
【００７２】
５…椅子
１０…座
１１…座フレーム
１１ａ…支持板
１１ｂ…連結棒
１５…肘掛
２０…背もたれ
２１…背フレーム
２２…支持腕
３０…第１ガイド部
３１…ガイド溝
３２…スライド片
４０…第２ガイド部
４１…ガイド溝
４２…スライド片
５０…第３ガイド部
５１…ガイド溝
５２…ガイドピン
６０…ベース部
６１…側板
６２…連結棒
６２ａ…前端下部の連結棒
６２ｂ…中央下部の連結棒
６２ｃ…後端下部の連結棒
６６…保持板
７０…押し上げ機構
７１…第１リンク
７２…第２リンク
７４…ダンパー
７４ａ…シリンダ
７４ｂ…ピストンロッド
８０…ロック機構
８０ａ…シリンダ
８０ｂ…ピストンロッド
Ａ…仮想回転中心
Ｂ…背もたれの回転中心
Ｃ…所定箇所
Ｊ…連結箇所
【図１】
0006448390.tif 000002
【図２】
0006448390.tif 000003
【図３】
0006448390.tif 000004
【図４】
0006448390.tif 000005
【図５】
0006448390.tif 000006
【図６】
0006448390.tif 000007
【図７】
0006448390.tif 000008